(57)【要約】【課題】  従来の糸選択装置の設置を省略することができ、糸の巻き付け休止時における糸の無駄な消費を解消しかつ糸の巻き付けと糸の巻き付け休止との切り替えを極めてスムーズに行うことができ、柄整経を効率よく短時間で整経することができるようにした変位可能ヤーンガイド付サンプル整経機を提供する。【解決手段】  整経ドラムと、該整経ドラムの側面に回転自在に設けられかつ該整経ドラムに糸を巻き付ける該数本のヤーンガイドとを有し、該複数本のヤーンガイドの各々を糸巻き付け位置と糸巻き付け休止位置に変位可能とした。【選択図】  図１
2005179818.tif 000002
【特許請求の範囲】
【請求項１】
整経ドラムと、該整経ドラムの側面に回転自在に設けられかつ該整経ドラムに糸を巻き付ける複数本のヤーンガイドとを有し、該複数本のヤーンガイドの各々を糸巻き付け位置と糸巻き付け休止位置に変位可能としたことを特徴とする変位可能ヤーンガイド付サンプル整経機。
【請求項２】
前記複数本のヤーンガイドの各々にクリップガイド及び糸切断用カッターを設けるとともに前記整経ドラムの側面にピックアップガイド装置を設けたことを特徴とする請求項１記載のサンプル整経機。
【請求項３】
前記複数本のヤーンガイドの中の所定のヤーンガイドが糸巻き付け位置から糸巻き付け休止位置に変位すると、該ヤーンガイドによって前記整経ドラムに巻き付けられていた糸は、該整経ドラムから外れ、該ヤーンガイドの回転方向の後方側に隣接する後方隣接ヤーンガイドに設けられたクリップガイドにはさみ込まれかつ前記カッターによって切断され、その切断された糸が該クリップガイドによってはさみ込まれた状態で当該糸の巻き付けを行わないまま該ヤーンガイドが回転するようにしたことを特徴とする請求項２記載のサンプル整経機。
【請求項４】
前記所定のヤーンガイドが糸巻き付け休止位置から糸巻き付け位置に変位すると、前記ピックアップガイド装置が、該ヤーンガイドのクリップガイドと前記後方隣接ヤーンガイドのクリップガイドとの間に位置する糸部分をピックアップするとともに該後方隣接ヤーンガイドのクリップガイドから糸を外し、該のヤーンガイドが前記整経ドラムへの糸の巻き付けを行うようにしたことを特徴とする請求項３記載のサンプル整経機。
【発明の詳細な説明】
【技術分野】
【０００１】
本発明は、予め設定された柄データ（糸配列順、色糸配列順）に従い、複本数同時整経による柄整経ができる新規な変位可能ヤーンガイド付サンプル整経機に関するものである。
【背景技術】
【０００２】
従来使用されているサンプル整経機としては、例えば、特許文献１に開示された構造、即ち異種（異色又は撚りの異なる）の糸を巻いてある複数本のボビンを立てる固定式クリールを用い、予め設定された柄データ（糸順序）に従い糸選択装置によって糸交換を行いつつヤーンガイドにより整経ドラム上に糸を巻き付けていくものが知られている。
【０００３】
また、回転式クリールを用いるとともに糸交換工程を省略し、糸交換時の時間的ロスを皆無としかつ複本数の糸を同時に整経ドラムに巻き付けることを可能とし、さらに整経作業時間の短縮を可能とした複本数同時整経可能なサンプル整経機も知られている（特許文献２、特許文献３及び特許文献４）。
【０００４】
固定式クリールは、同種及び／又は異種の糸（主として異種の糸）を巻いてある複数本のボビンを有しており、前記選択装置により自在に糸交換しながら糸一本ずつの整経をすることができるため、柄整経の整経作業を行うことができる利点があるが、一本の糸を順次整経ドラムに巻き付けるために整経作業時間がそれだけかかるという不利がある。一方、回転式クリールは、同種及び／又は異種の糸を巻いてある複数本のボビンを有しており、無地整経（例えば、赤色糸一色）、１対１（例えば、赤１と白１の繰り返し、Ｓ撚１本とＺ撚１本の繰り返し）、２対２（例えば、赤２本と白２本の繰り返し、Ｓ撚２本とＺ撚２本の繰り返し）等のごく限られたパターンの反復（繰返し）整経に使用可能である。この回転式クリールは、限られたパターン整経以外の柄整経の整経作業を行うことはできないという不利があるが、複本数の糸を同時に整経ドラムに巻き付けるために整経時間が大幅に短縮されるという利点がある。
【０００５】
上記した従来のサンプル整経機においては、整経ドラムの前面に回転可能かつ放射状に取り付けられた１本又は複数本のヤーンガイドと、該ヤーンガイドに対応して設置された固定式クリール及び／又は回転クリールと、ヤーンガイドに供給される糸の交換を行う糸選択装置とを必須の基本的構造とするものであった。
【０００６】
一方、糸選択装置を用いることなく、糸の巻き付けと糸の巻き付け休止とを行うようにした柄経糸用部分整経機も提案されている（特許文献５及び６）が、糸の巻き付け休止時に糸を無駄に消費したり、または、糸の巻き付けと糸の巻き付け休止との切り替えがスムーズに行えないなどの問題があった。
【特許文献１】特許第１５２９１０４号
【特許文献２】特許第１７６７７０６号
【特許文献３】ＵＳＰ４,９７２,６６２
【特許文献４】ＥＰ３７５４８０
【特許文献５】特許第３２６３０５０号
【特許文献６】特開２００２−２１２８５１号
【発明の開示】
【発明が解決しようとする課題】
【０００７】
本発明者は、上記した問題点を解消した新規な機構を有するサンプル整経機を開発すべく研究を重ねた結果、本発明に到達したものである。
【０００８】
本発明の目的は、従来の糸選択装置の設置を省略することができ、糸の巻き付け休止時における糸の無駄な消費を解消しかつ糸の巻き付けと糸の巻き付け休止との切り替えを極めてスムーズに行うことができ、柄整経を効率よく短時間で整経することができるようにした変位可能ヤーンガイド付サンプル整経機を提供することにある。
【課題を解決するための手段】
【０００９】
本発明の変位可能ヤーンガイド付サンプル整経機は、整経ドラムと、該整経ドラムの側面に回転自在に設けられかつ該整経ドラムに糸を巻き付ける複数本のヤーンガイドとを有し、該複数本のヤーンガイドの各々を糸巻き付け位置と糸巻き付け休止位置に変位可能としたことを特徴とする。
【００１０】
前記ヤーンガイドのタイプとしては、先端部に糸保持フック部を設けたものも使用可能であるが、先端部に糸保持穴Ｈを形成したアイレットガイド（穴付きガイド）又は先端部に糸保持用の螺旋部を形成したスネイルガイド等が好適に用いられる。
【００１１】
前記複数本のヤーンガイドの各々には、クリップガイド及び糸切断用カッターが設けられ、かつ前記整経ドラムの側面にはピックアップガイド装置が設けられる。
【００１２】
上記構成において、前記複数のヤーンガイドの中の所定のヤーンガイドが糸巻き付け位置から糸巻き付け休止位置に変位すると、該ヤーンガイドによって前記整経ドラムに巻き付けられていた糸は、該整経ドラムから外れ、該ヤーンガイドの回転方向の後方側に隣接する後方隣接ヤーンガイドに設けられたクリップガイドにはさみ込まれかつ前記糸切断用カッターによって切断される。その切断されかつ整経ドラムに巻き付けられた側の糸端は次に巻き付けられる糸によって整経ドラムに押さえ付けられ、ヤーンガイド側の糸端は該クリップガイドによってはさみ込まれた状態で当該糸の巻き付けを行わないまま該ヤーンガイドが回転する。
【００１３】
一方、前記所定のヤーンガイドが糸巻き付け休止位置から糸巻き付け位置に変位すると、前記ピックアップガイド装置が、該ヤーンガイドのクリップガイドと前記後方隣接ヤーンガイドのクリップガイドとの間に位置する糸部分をピックアップするとともに該後方隣接ヤーンガイドのクリップガイドから糸を外し、該ヤーンガイドが前記整経ドラムへの糸の巻き付けを行ない、所定位置まで進行後ピックアップガイド装置から糸端を外す。
【発明の効果】
【００１４】
本発明の変位可能ヤーンガイド付サンプル整経機によれば、従来の糸選択装置の設置を省略することができ、糸の巻き付け休止時における糸の無駄な浪費を解消しかつ糸の巻き付けと糸の巻き付け休止との切り替えを極めてスムーズに行うことができ、複本数同時整経による柄整経が可能となり、効率よく短時間で整経することができるという効果が達成される。
【発明を実施するための最良の形態】
【００１５】
以下に、本発明の実施の形態を添付図面に基づいて説明するが、図示例はあくまでも例示的なものであり、本発明の技術思想から逸脱しない限り図示例以外にも種々の変形が可能なことはいうまでもない。図１は、本発明のサンプル整経機の一つの実施の形態を示す概略斜視図である。
【００１６】
図１におけるサンプル整経機Ｗは、整経ドラムＡの側面に回転自在に設けられかつ整経ドラムＡに糸２２を巻き付ける複数本のヤーンガイド６ａ〜６ｈと、異種及び／又は同種の糸２２を巻いてある複数本のボビン１２６を立てる回転クリールＦとを有している。前記複数本のヤーンガイド６ａ〜６ｈの各々には、図２〜図６に示されるように、クリップガイド２０ａ〜２０ｈ及び糸切断用カッター２１ａ〜２１ｈが設けられかつ前記整経ドラムＡの側面にはピックアップガイド装置２４が設けられている。後述するように、ヤーンガイド６ａ〜６ｈが糸巻き付け位置にある時は糸２２の巻き付けが行われ、一方ヤーンガイド６ａ〜６ｈが糸巻き付け休止位置にある時は糸２２の巻き付けが行われないようにすることにより、設定された糸順序に従い自動的に糸の巻き付け及び休止を行い、整経ドラムＡ上に糸が巻き付けられる。１７は整経ドラムＡの周面に移動可能に設置されたコンベアベルト、１８ａ〜１８ｇは綾取バー（１８ｃはカット綾上バー、１８ｄはカット綾下バー）、Ｙは基台である。なお、サンプル整経機Ｗの基本的構成及び作用は上記した特許公報等により広く知られており、詳細な説明は省略する。
【００１７】
前記クリップガイド２０ａ（他のクリップガイド２０ｂ〜２０ｈも同様の構成であるので、代表して２０ａのみについて説明する）の具体的構成の１例を図７に示す。図７において、クリップガイド２０ａは、２枚の薄い板バネ３０，３２を組み合わせて構成されている。該板バネ３０，３２の先端部３０ａ，３２ａは互いに外方に湾曲して開口受け部３４を形成し、該板バネ３０，３２の基端部３０ｂ，３２ｂは互いに密着して狭持部３６を形成している。該開口受け部３４に入り込んだ糸２２ａはヤーンガイド６ａの進行（回転）に従い、狭持部３６に入り込み、２枚の板バネ３０，３２によって狭持される。
【００１８】
前記糸切断用カッター２１ａ（他のカッター２１ｂ〜２１ｈも同様の構成であるので代表して２１ａのみについて説明する）の具体的構成の１例を図８に示す。図８において、カッター２１ａは固定刃４０と該固定刃４０に支点４２を介して移動可能に取り付けられた移動刃４４とから構成されている。４６はソレノイドで、該移動刃４４を作動ロッド４８を介して移動させるように作用する。図８に示されるように、固定刃４０と移動刃４４との切断空隙４９に糸２２ａが位置した状態で、移動刃４４が切断空隙４９方向に移動することによって糸２２ａの切断が行われる。
【００１９】
前記ピックアップガイド装置２４の具体的構成の１例を図９に示す。図９において、ピックアップガイド装置２４は、ホルダーブロック５０を有している。該ホルダーブロック５０の基端部には、先端をフック状としたピックアップガイド本体５２が出没自在に取り付けられている。該ホルダーブロック５０の上面先端部には凹溝５４が穿設されている。５６は該ピックアップガイド本体５２を駆動するための駆動用エアシリンダーである。該ホルダーブロック５０の上面に位置する糸２２ａは、ピックアップガイド本体５２を没却（降下）させることによって、図１０に示すように、該凹溝５４の上部とピックアップガイド本体５２とによって強固に保持される。このピックアップガイド装置２４はベースブロック５６に固着されている。該ベースブロック５８は不図示の主エアシリンダーに連結され、移動可能とされており、したがって、該ピックアップガイド装置２４も主エアシリンダーを駆動させることによって移動可能である。
【００２０】
ピックアップガイド装置の動作は次のように行われる。整経ドラムＡの側面から主エアシリンダーによってピックアップガイド装置２４がヤーンガイド方向へ移動しながら、駆動用エアシリンダー５６によってピックアップガイド本体５２がヤーンガイド６ａとクリップガイド２０ａに保持された糸２２ａの糸軌道まで突出する。ピックアップガイド本体５２は糸２２ａがひっかかると（ヤーンガイド６ａが通過すると）、駆動用シリンダー５６によって没却（降下）せしめられ、糸２２ａはホルダーブロック５０の凹溝５４上部とピックアップガイド本体５２によって強固に狭持され、ヤーンガイド６ａの進行（回転）により糸２２ａの端部は狭持されているクリップガイド（図２〜図６の例では２０ｈ）から外れる。ヤーンガイド６ａが１回転又は１回転以上進行したところで駆動用シリンダー５６が動作してピックアップガイド本体５２が突出（上昇）し糸２２の狭持を解除する。
【００２１】
本発明で用いられる糸巻き付け装置と糸巻き付け休止位置に変位可能なヤーンガイドの構成について図１１及び図１２を用いてさらに説明する。図１１及び図１２には、本発明で用いる変位可能ヤーンガイド６ａ（他のヤーンガイド６ｂ〜６ｈも同様の構成であるので、代表して６ａのみについて説明する）の具体的な構成の１例が示されている。該変位可能ヤーンガイド６ａは、アーム２０８と、該アーム部２０８の先端部に回動可能に設けられかつ糸保持可能なガイド片２１０とを有している。このガイド片２１０としては、先端部に糸保持穴Ｈを穿設したアイレットガイド（穴付ガイド）タイプのものを図示したが、その他に先端部に糸保持用の螺旋部やループ部を設けたスネイルガイドやループガイド等公知の形状のガイドを用いることができる。
【００２２】
前記アーム部２０８の先端部にはホルダー部２１２が設けられ、該ホルダー部２１２にはシリンダーベース２１４が連設されている。該シリンダーベース２１４にはロータリーエアシリンダー２１６が取り付けられ、該ロータリーエアシリンダー２１６には、揺動軸２１６ａがあり、該揺動軸２１６ａにはガイド片２１０が固着され、該揺動軸２１６ａの回動とともに回動するようになっている。２１８ａ，２１８ｂは該ロータリーエアシリンダー２１６に連通して取り付けられたエアチューブで、図示しないソレノイドバルブから該ロータリーエアシリンダー２１６内に圧縮空気を供給する。
【００２３】
例えば、エアチューブ２１８ａからロータリーエアシリンダー２１６内に圧縮空気が供給されると、ガイド片２１０は、一方向、例えば図１２の実線位置に回動、即ち糸巻き付け位置に突出してヤーンガイドとしての機能を果たす。一方、エアチューブ２１８ｂからロータリーエアシリンダー２１６内に圧縮空気が供給されると、ガイド片２１０は、他方向、例えば図８の仮想線位置に回動、即ち糸巻き付け休止位置に変位する。図１２において、仮想線で示された２２０，２２０はストッパで、ガイド片２１０の回動範囲を制限する作用を果たすものである。
【００２４】
上記した構成により、ヤーンガイド６ａ〜６ｈ（図示例では６ａ）によって整経ドラムＡ上に糸巻き付けを行い、また糸の巻き付け休止を行う場合について図２〜図６を用いて説明する。前記複数本のヤーンガイド６ａ〜６ｈの中の所定のヤーンガイド６ａが糸巻き付け位置Ｐ１から糸巻き付け休止位置Ｐ２に変位すると（図示例では残りのヤーンガイド６ａ〜６ｈは全て糸巻き付け位置Ｐ１にある場合が示されている）、該ヤーンガイド６ａによって前記整経ドラムＡに巻き付けられていた糸２２ａ（ヤーンガイド６ａの糸は２２ａで示し、残りのヤーンガイド６ｂ〜６ｈの糸は全て２２で示してある）は整経ドラムＡから外れて、該ヤーンガイド６ａの回転方向の後方側に隣接する後方隣接ヤーンガイド（図示例では６ｈ）に設けられたクリップガイド２０ｈにはさみ込まれ（図２）かつ該糸２２ａは該クリップガイド２０ｈに付属されているカッター（図示せず）によって切断され、その切断された糸２２ａが該クリップガイド２０ｈによってはさみ込まれた状態で該糸２２ａの整経胴Ａ上への巻き付けを行わないまま該ヤーンガイド６ａは回転を続ける（図３）。
【００２５】
次に、糸巻き付け休止から糸巻き付けを行う場合は、前記ピックアップガイド装置２４が、該ヤーンガイド６ａのクリップガイド２０ａと前記後方隣接ヤーンガイド６ｈのクリップガイド２０ｈとの間に位置する糸部分をピックアップする（図４）とともに該後方隣接ヤーンガイド６ｈのクリップガイド２０ｈから糸２２ａを外し（図５）、前記ヤーンガイド６ａが糸巻き付け休止位置Ｐ２から糸巻き付け位置Ｐ１に変位することにより整経ドラムＡへの糸の巻き付けを行う（図６）。
【００２６】
上記したような糸の巻き付け及び糸の巻き付け休止を各ヤーンガイド６ａ〜６ｈについて行うことによって、予め設定された柄データ（糸配列順、色糸配列順）に従い、複本数同時整経による柄整経を行うことができる。
【図面の簡単な説明】
【００２７】
【図１】本発明のサンプル整経機の一つの実施の形態を示す概略斜視説明図である。
【図２】糸巻き付け状態から糸巻き付け休止状態への第１の移行状態を示す説明図である。
【図３】糸巻き付け状態から糸巻き付け休止状態への第２の移行状態を示す説明図である。
【図４】糸巻き付け休止状態から糸巻き付け状態への第１の移行状態を示す説明図である。
【図５】糸巻き付け休止状態から糸巻き付け状態への第２の移行状態を示す説明図である。
【図６】糸巻き付け休止状態から糸巻き付け状態への第３の移行状態を示す説明図である。
【図７】本発明で用いられるクリップガイドの１例を示す斜視説明図である。
【図８】本発明で用いられるカッターの１例を示す概略説明図である。
【図９】本発明で用いられるピックアップガイド装置の１例を示す概略説明図である。
【図１０】図９に示したピックアップガイドの作動状態の１例を示す要部の説明図である。
【図１１】本発明のサンプル整経機における変位可能ヤーンガイドの１例を示す説明図である。
【図１２】図１１の下面図である。
【符号の説明】
【００２８】
６ａ〜６ｈ：ヤーンガイド、２０ａ〜２０ｈ：クリップガイド、２２，２２ａ：糸、２４：ピックアップガイド装置、３０，３２：板バネ、３４：開口受け部、３６：狭持部、４０：固定刃、４２：支点、４４：移動刃、４６：ソレノイド、４８：作動ロッド、４９：切断空隙、５０：ホルダーブロック、５２：ピックアップガイド本体、５４：凹溝、５６：駆動用エアシリンダー、５８：ベースブロック、２０８：アーム、２１０：ガイド片、２１２：ホルダー部、２１４：シリンダーベース、２１６：ロータリーエアシリンダー、２１６ａ：揺動軸、２１８ａ，２１８ｂ：エアチューブ、２２０：ストッパ。
【図１】
2005179818.tif 000003
【図２】
2005179818.tif 000004
【図３】
2005179818.tif 000005
【図４】
2005179818.tif 000006
【図５】
2005179818.tif 000007
【図６】
2005179818.tif 000008
【図７】
2005179818.tif 000009
【図８】
2005179818.tif 000010
【図９】
2005179818.tif 000011
【図１０】
2005179818.tif 000012
【図１１】
2005179818.tif 000013
【図１２】
2005179818.tif 000014